(57)【要約】【課題】ペン先からインキが漏出してもそのインキが先端開口より外部に漏出するおそれがなく、しかも、ペン先によって多孔質弾性体よりなる吸液部材を損傷するおそれがない出没式筆記具を提供する。【解決手段】軸筒２内に筆記体３を前後方向に移動可能に収容する。筆記体３のペン先３１を軸筒２の先端開口２１より出没可能に構成する。軸筒２の先端開口２１に、開閉自在のスリット状の開閉口４１を備える非多孔質弾性体よりなる開閉部材４と、前記開閉部材４の外周面に密接する多孔質弾性体よりなる吸液部材５とを設ける。ペン先３１が先端開口２１から突出状態のとき、開閉口４１が大きく開口し且つ開閉口４１にペン先３１が挿通される。ペン先３１が軸筒２内に没入状態のとき、開閉口４１が略閉鎖し且つ開閉口４１が毛細間隙４２を構成する。毛細間隙４２が吸液部材５と接続される。【選択図】  図１
2006289799.tif 000002
【特許請求の範囲】
【請求項１】
軸筒内に筆記体を前後方向に移動可能に収容し、前記筆記体のペン先を軸筒の先端開口より出没可能に構成した出没式筆記具であって、軸筒の先端開口に、開閉自在のスリット状の開閉口を備える非多孔質弾性体よりなる開閉部材と、前記開閉部材の外周面に密接する多孔質弾性体よりなる吸液部材とを設け、ペン先が先端開口から突出状態のとき、前記開閉口が大きく開口し且つ前記開閉口にペン先が挿通され、一方、ペン先が軸筒内に没入状態のとき、前記開閉口が略閉鎖し且つ前記開閉口が毛細間隙を構成し、前記毛細間隙が吸液部材と接続されてなることを特徴とする出没式筆記具。
【請求項２】
前記吸液部材が、前記開閉部材の外周面を開閉口の閉じる方向に押圧してなる請求項１記載の出没式筆記具。
【請求項３】
前記筆記体のペン先が、先端に回転可能にボールを抱持し且つ前記ボールを弾発部材により前方に付勢して内向きの先端縁部の内面に密接させた構造のボールペンチップであり、筆記体の内部に収容されたインキの粘度が、２０℃において、１ｍＰａ・ｓ〜５０ｍＰａ・ｓの範囲である請求項１または２記載の出没式筆記具。
【請求項４】
前記筆記体のペン先が、先端に回転可能にボールを抱持し且つ前記ボールを弾発部材により前方に付勢して内向きの先端縁部の内面に密接させた構造のボールペンチップであり、筆記体の内部に収容されたインキが、Ｅ型回転粘度計による２０℃における回転数１００ｒｐｍでの粘度が、３ｍＰａ・ｓ〜１６０ｍＰａ・ｓの範囲であり、且つ、剪断減粘性指数が０．８０〜０．９９の範囲である請求項１または２記載の出没式筆記具。
【発明の詳細な説明】
【技術分野】
【０００１】
本発明は、出没式筆記具に関する。詳細には、軸筒内部に筆記体を前後方向に移動可能に収容し、前記筆記体のペン先を軸筒の先端開口より出没可能に構成した出没式筆記具に関する。
【背景技術】
【０００２】
従来、この種の出没式筆記具において、軸筒の先端開口に切り込みを有する弾性シール部材を配置し、前記切り込みを通してペン先を出没可能に構成したペン先密封構造が知られている。（例えば、特許文献１）
【０００３】
また、特許文献２には、前記ペン先密封構造において、切り込みを有する弾性シール部材としてスポンジを用いたものが開示されている。
【０００４】
【特許文献１】実公昭４４−１７１２号公報
【特許文献２】実公昭４３−２３４０号公報
【発明の開示】
【発明が解決しようとする課題】
【０００５】
前記従来の出没式筆記具（特許文献１）は、ペン先を完全に密封し、ペン先の乾燥を防止するものであるため、万が一、ペン先からインキが漏出した場合、その漏出インキが弾性シール部材の内面に溜まり、ペン先を突出させた際に切り込みを開口させると、前記漏出インキが先端開口から外部に漏れ出すおそれがある。
【０００６】
また、前記従来の出没式筆記具（特許文献２）は、ペン先突出時、ペン先をスポンジからなる弾性シール部材に突き刺して、該弾性シール部材を破損させるおそれがある。特に、ペン先がボールペンの場合（その中でもペン先がニードルタイプのボールペンチップの場合）に、ペン先が先鋭となり、前記突き刺さりが生じやすい。
【０００７】
本発明は、前記従来の問題点を解決するものであって、ペン先からインキが漏出してもそのインキが先端開口より外部に漏出するおそれがなく、しかも、ペン先によって多孔質弾性体よりなる吸液部材を損傷するおそれがない出没式筆記具を提供しようとするものである。尚、本発明において、「前」とはペン先側を指し、一方、「後」とはその反対側を指す。
【課題を解決するための手段】
【０００８】
［１］本発明は、軸筒２内に筆記体３を前後方向に移動可能に収容し、前記筆記体３のペン先３１を軸筒２の先端開口２１より出没可能に構成した出没式筆記具であって、軸筒２の先端開口２１に、開閉自在のスリット状の開閉口４１を備える非多孔質弾性体よりなる開閉部材４と、前記開閉部材４の外周面に密接する多孔質弾性体よりなる吸液部材５とを設け、ペン先３１が先端開口２１から突出状態のとき、前記開閉口４１が大きく開口し且つ前記開閉口４１にペン先３１が挿通され、一方、ペン先３１が軸筒２内に没入状態のとき、前記開閉口４１が略閉鎖し且つ前記開閉口４１が毛細間隙４２を構成し、前記毛細間隙４２が吸液部材５と接続されてなること（請求項１）を要件とする。
【０００９】
前記出没式筆記具１（請求項１）は、ペン先３１が軸筒２内に没入状態にあるとき、ペン先３１からインキが漏出したとしても、前記漏出インキが前記開閉口４１の毛細間隙４２に一時的に保持されるか、あるいは、前記漏出インキが毛細間隙４２と接続する吸液部材５に一時的に保持される。そのため、先端開口２１よりインキが外部に漏出するおそれがない。さらに、前記毛細間隙４２及び吸液部材５は外気と連通されているため、前記保持した漏出インキを迅速に乾燥させることができ、その後、開閉口４１を大きく開口させ、ペン先３１を先端開口２１から突出させても、インキが外部に漏出するおそれがない。
【００１０】
また、前記出没式筆記具１（請求項１）は、多孔質弾性体からなる吸液部材５が、非多孔質弾性体からなる開閉部材４の外面に配置されているため、ペン先３１の突出時にペン先３１が吸液部材５に突き刺さるおそれがない。
【００１１】
尚、前記毛細間隙４２とは、毛細管力を有する間隙をいう。前記毛細間隙４２の間隙寸法は、具体的には、０．０１ｍｍ〜０．２ｍｍ（さらに好ましくは０．０１ｍｍ〜０．１ｍｍ）の範囲が好ましい。前記非多孔質弾性体は、例えば、ゴム、エラストマー、軟質合成樹脂等が挙げられる。前記多孔質弾性体は、例えば、合成樹脂の連続気泡体（スポンジ）や繊維加工体等が挙げられる。
【００１２】
[２]前記出没式筆記具１（請求項１）において、前記吸液部材５が、前記開閉部材４の外周面を開閉口４１の閉じる方向に押圧してなること（請求項２）が好ましい。
【００１３】
前記出没式筆記具１（請求項２）は、前記吸液部材５が、常に、開閉口４１の閉じる方向に押圧力を付与している。そのため、ペン先没入状態のとき、適正な毛細間隙４２を確実に形成することができる。
【００１４】
[３]前記出没式筆記具１（請求項１または２）において、前記筆記体３のペン先３１が、先端に回転可能にボール３１ａを抱持し且つ前記ボール３１ａを弾発部材３４により前方に付勢して内向きの先端縁部３１ｂの内面に密接させた構造のボールペンチップであり、筆記体３の内部に収容されたインキの粘度が、２０℃において、１ｍＰａ・ｓ〜５０ｍＰａ・ｓの範囲であること（請求項３）が好ましい。
【００１５】
前記出没式筆記具１（請求項３）において、インキが低粘度であるため、流動性に優れ、筆跡途切れのない滑らかな筆記が可能であるが、ペン先３１からのインキ漏出が生じやすい。しかし、弾発部材３４によりボール３１ａを前方に付勢して内向きの先端縁部３１ｂの内面に密接させた請求項３構成により、ペン先下向き状態におけるペン先３１からのインキの漏出を未然に防ぐことができる。さらに、万が一、ペン先３１からインキが漏出したとしても、請求項１または２の構成により、先端開口２１からのインキの漏出を防ぐことができる。即ち、出没式筆記具１（請求項３）により、滑らかな筆記が可能となるとともに、先端開口２１からのインキ漏出事故に対する安全性が一層向上する。
【００１６】
[４]前記出没式筆記具１（請求項１または２）において、前記筆記体３のペン先３１が、先端に回転可能にボール３１ａを抱持し且つ前記ボール３１ａを弾発部材３４により前方に付勢して内向きの先端縁部３１ｂの内面に密接させた構造のボールペンチップであり、筆記体３の内部に収容されたインキが、Ｅ型回転粘度計による２０℃における回転数１００ｒｐｍでの粘度が、３ｍＰａ・ｓ〜１６０ｍＰａ・ｓの範囲であり、且つ、剪断減粘性指数が０．８０〜０．９９の範囲であること（請求項４）が好ましい。
【００１７】
前記出没式筆記具１（請求項４）において、インキが低粘度であるため、流動性に優れ、筆跡途切れのない滑らかな筆記が可能であるが、ペン先３１からのインキ漏出が生じやすい。しかし、弾発部材３４によりボール３１ａを前方に付勢して内向きの先端縁部３１ｂの内面に密接させた請求項３構成により、ペン先下向き状態におけるペン先３１からのインキの漏出を未然に防ぐことができる。さらに、万が一、ペン先３１からインキが漏出したとしても、請求項１または２の構成により、先端開口２１からのインキの漏出を防ぐことができる。即ち、出没式筆記具１（請求項３）により、滑らかな筆記が可能となるとともに、先端開口２１からのインキ漏出事故に対する安全性が一層向上する。
【００１８】
尚、前記剪断減粘性指数は、粘度計により剪断応力値（Ｔ）及び剪断速度（ｊ）値の流動学的測定により導かれる実験式（Ｔ＝Ｋｊｎ ：但し、Ｋ及びｎは計算された定数である）を適用して計算されるｎ値である。尚、前記Ｅ型回転粘度計とは、具体的には、ＥＭ型回転粘度計、ＥＬ型回転粘度計、ＥＨ型回転粘度計が挙げられる。
【発明の効果】
【００１９】
請求項１の出没式筆記具によれば、ペン先からインキが漏出しても、その漏出インキが先端開口より外部に漏出するおそれがない。
【００２０】
請求項２の出没式筆記具によれば、ペン先没入時、適正な毛細間隙を確実に形成することができる。
【００２１】
請求項３の出没式筆記具によれば、滑らかな筆記が可能となるとともに、先端開口からのインキ漏出事故に対する安全性が一層向上する。
【００２２】
請求項４の出没式筆記具によれば、滑らかな筆記が可能となるとともに、先端開口からのインキ漏出事故に対する安全性が一層向上する。
【発明を実施するための最良の形態】
【００２３】
以下、本発明の実施の形態を図面に従い説明する。
【００２４】
図１乃至図４に本発明の出没式筆記具１の実施の形態を示す。
【００２５】
本実施の形態の出没式筆記具１は、軸筒２と、該軸筒２の内部に前後方向に移動可能に収容される筆記体３とからなる。前記筆記体３は、リターンスプリング１１（圧縮コイルスプリング）により後方に付勢されている。
【００２６】
（軸筒）
軸筒２は、先細状の先端部に先端開口２１を備え、その先端開口２１から筆記体３のペン先３１が出没する。前記軸筒２の後部には、ノック操作または回転操作により筆記体３を前後に移動させる出没機構（図示せず）が収容される。また、軸筒２の前部外周面には、弾性体（ゴムまたはエラストマー）よりなる把持部２２が形成される。また、軸筒２の先端開口２１の内周面には、開閉部材４及び吸液部材５が取り付けられる。
【００２７】
（開閉部材）
前記開閉部材４は、図３に示すように、先端が閉鎖し後端が開口する先細形状（略円錐状）の筒体からなる。前記開閉部材４の先端部４３には、複数本（図面では６本）の軸方向に延びるスリット状（切り込み状）の開閉口４１が放射状に形成される。前記先端部４３の後方には鍔状の支持部４４が一体に形成される。前記支持部４４が、軸筒２の内壁に取り付けられる。前記開閉部材４は、非多孔質弾性体（例えば、ゴム、エラストマー、軟質合成樹脂）からなり、前記開閉口４１を備えた先端部４３は径方向に弾性変形可能であり、それに伴い、前記開閉口４１も開閉可能となる。
【００２８】
（吸液部材）
前記吸液部材５は、環状の多孔質弾性体（例えば、合成樹脂製連続気泡体）からなる。前記吸液部材５は、軸筒２の先端開口２１の内周面と、開閉部材４の開閉口４１を備えた先端部４３の外周面との間に配置される。前記吸液部材５は、軸筒２の先端開口２１の内周面と、開閉部材４の開閉口４１を備えた先端部４３の外周面とによって挟持される。前記吸液部材５は、開閉部材４の開閉口４１を覆うように開閉部材４の開閉口４１を備えた先端部４３側壁の外周面に密接され、スリット状の開閉口４１（即ちスリット状の開閉口４１の径方向外端部）と接続される。また、前記吸液部材５は、開閉部材４の開閉口４１を備えた先端部４３側壁の外周面を径方向内方（即ち開閉口４１の閉じる方向）に常時押圧している。
【００２９】
（筆記体）
筆記体３は、先端部にボール３１ａを回転可能に抱持したボールペンチップと、該ボールペンチップの後部が前部に圧入固着されたホルダー３２と、該ホルダー３２の後部が先端開口部に圧入固着されたインキ収容筒３３と、該インキ収容筒３３内に収容されるインキ及び追従体（図示せず）と、前記ボールペンチップ内に収容配置される弾発部材３４（スプリング）と、前記インキ収容筒３３の後端開口部に圧入固着される尾栓（図示せず）とからなる。
【００３０】
前記ボールペンチップは、先端部にボール３１ａを回転可能に抱持した金属製（例えば、ステンレス鋼製）のストレート状パイプよりなるニードルタイプである。前記ボールペンチップの先端近傍内面には、内方への押圧変形により、ボール受け座となる４個の内方突出部が周方向に等間隔に形成される。前記内方突出部の前面は、円錐凹面状となっている。また、前記ボールペンチップの先端部には、内方へのカシメ変形により環状の内向きの先端縁部３１ｂが形成される。前記先端縁部３１ｂ内面と内方突出部前面（ボール受け座）との間にはボール収納孔が形成され、前記ボール収納孔には、ボール３１ａ（ボール直径：０．５ｍｍ）が回転可能且つ前後方向に移動可能に抱持される。さらに、前記ボール受け座後方にはインキ流通孔が形成される。
【００３１】
前記ホルダー３２は、合成樹脂（例えば、ポリプロピレン、ポリアセタール）の射出成形により得られる筒状体である。前記ホルダー３２は、ボールペンチップが取り付けられる先細状の前部と、インキ収容筒３３の先端面と当接する鍔部と、インキ収容筒３３４の先端開口部に圧入される後部とからなる。前記ホルダー３２内部には、ボールペンチップ２の後部が圧入固着される取付孔３２ａと、該取付孔３２ａにその先端が連通し且つその後端が外部に開口するインキ流通孔３２ｂとが設けられる。前記インキ流通孔３２ｂの中間部内面には、周状に分散配置される複数（例えば４個）の係止突起３２ｃが一体に形成される。
【００３２】
前記弾発部材３４は、線径０．１２ｍｍ〜０．１４ｍｍのステンレス鋼製線材よりなり、前部のストレート部３４ａと後部のコイル部３４ｂとが一体に連設されてなる。前記コイル部３４ｂの後端部には、外径が前方のコイル部３４ｂより大きく設定された膨出部３４ｃが形成される。前記膨出部３４ｃは、線材間が密着した密着巻部により形成される。前記膨出部３４ｃが，ホルダー３２内面の係止突起３２ｃを後方より乗り越えて、前記係止突起３２ｃの前面に係止される。前記ストレート部３４ａは、ボールペンチップのインキ流通孔内に挿通され、前記ストレート部３４ａの先端は、ボール３１ａの後面を前方に押圧し、ボール３１ａが先端縁部３１ｂの内面に密接される。それにより、非筆記時、ボール３１ａと先端縁部３１ｂとの間からインキが漏出することを防止する。
【００３３】
前記インキ収容筒３３は、両端が開口された円筒体であり、合成樹脂（例えば、ポリプロピレン）の押出成形により得られる。前記インキ収容筒３３の先端開口部には、ボールペンチップを備えたホルダー３２の後部が圧入固着される。前記インキ収容筒３３の内部には、インキと、該インキの後端に配置され且つ該インキの消費に伴って前進する追従体とが充填される。
【００３４】
前記インキは、Ｂ型回転粘度計における２０℃での粘度が９ｍＰａ・ｓである水性インキ、または、ＥＬ型回転粘度計における２０℃での回転数１００ｒｐｍの粘度が３．５ｍＰａ・ｓであるとともに剪断減粘性指数が０．９７である水性インキである。
【００３５】
前記追従体は、高粘度流体と、該高粘度流体中に収容させた固形物とからなる。尚、前記追従体は、前記以外にも、固形物を備えない高粘度流体のみからなる構成、またはインキ収容筒３３内壁と摺動可能な固形物のみからなる構成であってもよい。
【００３６】
前記尾栓は、インキ収容筒３３の後端開口部に圧入固着される。前記尾栓は、軸方向に通気孔が貫設され、前記通気孔により、インキ収容筒３３内の追従体後方の空間と外気とが連通される
【００３７】
（開閉口の開閉）
本実施の形態の出没式筆記具１は、ペン先没入状態（図１）からペン先突出状態（図４）に移行する際、ペン先３１またはホルダー３２先端部によって、開閉部材４の先端部４３側壁が径方向外方に押し広げられ、吸液部材５を圧縮させるとともに開閉口４１が大きく開口される。一方、ペン先突出状態（図４）からペン先没入状態（図１）に移行する際、多孔質弾性体からなる吸液部材５によって、開閉部材４の先端部４３側壁が径方向内方へ押圧され、それにより、開閉口４１が迅速かつ確実に閉じ、適正な毛細間隙４２を構成する。また、本実施の形態において、多孔質弾性体からなる吸液部材５が、非多孔質弾性体からなる開閉部材４の外面に配置されているため、ペン先３１の突出時にペン先３１が吸液部材５に突き刺さるおそれがない。
【００３８】
（毛細間隙）
本実施の形態の出没式筆記具１において、万が一、ペン先下向き状態且つペン先没入状態で収容保管されたときに、ボールペンチップの先端からインキが垂れ落ちたとしても、開閉部材４の毛細間隙４２、及び該毛細間隙４２に接続された吸液部材５に、前記垂れ落ちたインキが保持され、先端開口２１より外部にインキが漏出するおそれがない。そのため、本実施の形態の出没式筆記具１は、先端開口２１より外部に漏出したインキで衣服や手を汚すおそれがない。尚、本実施の形態の出没式筆記具１において、毛細間隙４２の間隙寸法は、０．０１ｍｍ〜０．１ｍｍに設定されている。
【００３９】
また、本実施の形態の出没式筆記具１において、前記毛細間隙４２及び吸液部材５は先端開口２１を通して外気と連通されているため、前記毛細間隙４２及び吸液部材５に保持されたインキは、迅速に乾燥される。それにより、その後、ペン先３１が先端開口２１より突出し、開閉口が大きく開口してもインキが外部に漏れ出すおそれがない。
【図面の簡単な説明】
【００４０】
【図１】本発明の実施の形態のペン先没入状態を示す要部縦断面図である。
【図２】図１のＥ−Ｅ線断面図である。
【図３】図１の開閉部材の斜視図である。
【図４】図１のペン先突出状態を示す要部縦断面図である。
【符号の説明】
【００４１】
１  出没式筆記具
１１  リターンスプリング
２  軸筒
２１  先端開口
２２  把持部
３  筆記体
３１  ペン先（ボールペンチップ）
３１ａ  ボール
３１ｂ  先端縁部
３２  ホルダー
３２ａ  取付孔
３２ｂ  インキ流通孔
３２ｃ  係止突起
３３  インキ収容筒
３４  弾発部材
３４ａ  ストレート部
３４ｂ  コイル部
３４ｃ  膨出部
４  開閉部材
４１  開閉口
４２  毛細間隙
４３  先端部
４４  支持部
５  吸液部材
【図１】
2006289799.tif 000003
【図２】
2006289799.tif 000004
【図３】
2006289799.tif 000005
【図４】
2006289799.tif 000006